(57)【要約】【課題】取り付け作業ミスを確実に防止でき、複数の収差補正素子を含む場合は、その判別作業を改善できる光ピックアップ用光学素子およびそれを用いた光ピックアップを提供する。【解決手段】光束を集束する対物レンズ１と、収差を補正する収差補正手段と、対物レンズ１および収差補正手段の相対的位置を固定するホルダ８とを有する光ピックアップ用光学素子であって、収差補正手段は、光学作用面３，６以外の部分が光軸１５に垂直な面に関して面対称でない形状の収差補正素子２，５を有し、ホルダ８には、収差補正素子２，５の取り付け部９，１１に、収差補正素子２，５の面対称でない形状に応じて、収差補正素子２，５に入り込む凸部１０，１２または凹部を設けて、収差補正素子２，５が光軸１５に垂直な面に関して逆向きに取り付けられないようにする。【選択図】図１
2006059421.tif 000002
【特許請求の範囲】
【請求項１】
光束を集束する対物レンズと、収差を補正する収差補正手段と、上記対物レンズおよび上記収差補正手段の相対的位置を固定するホルダとを有する光ピックアップ用光学素子であって、
上記収差補正手段は、光学作用面以外の部分が光軸に垂直な面に関して面対称でない形状の収差補正素子を有し、
上記ホルダには、上記収差補正素子の取り付け部に、上記収差補正素子の面対称でない形状に応じて、上記収差補正素子に入り込む凸部または凹部を設けて、
上記収差補正素子が光軸に垂直な面に関して逆向きに取り付けられないようにしたことを特徴とする光ピックアップ用光学素子。
【請求項２】
上記収差補正手段は、複数の収差補正素子を備え、その少なくとも１個の収差補正素子の光学作用面以外の部分が、光軸に垂直な面に関して面対称でない形状からなることを特徴とする請求項１に記載の光ピックアップ用光学素子。
【請求項３】
上記収差補正手段は、複数の収差補正素子を備え、その全ての収差補正素子の光学作用面以外の部分が、それぞれ光軸に垂直な面に関して面対称でない形状からなることを特徴とする請求項１に記載の光ピックアップ用光学素子。
【請求項４】
光束を集束する対物レンズと、収差を補正する収差補正手段と、上記対物レンズおよび上記収差補正手段の相対的位置を固定するホルダとを有する光ピックアップ用光学素子であって、
上記収差補正手段は、光学作用面以外の部分が光軸に関して回転対称でない形状の収差補正素子を有し、
上記ホルダには、上記収差補正素子の取り付け部に、上記収差補正素子の回転対称でない形状に応じて、上記収差補正素子に入り込む凸部または凹部を設けて、
上記収差補正素子が光軸に関して回転して取り付けられないようにしたことを特徴とする光ピックアップ用光学素子。
【請求項５】
上記収差補正手段は、複数の収差補正素子を備え、その少なくとも１個の収差補正素子の光学作用面以外の部分が、光軸に関して回転対称でない形状からなることを特徴とする請求項４に記載の光ピックアップ用光学素子。
【請求項６】
上記収差補正手段は、複数の収差補正素子を備え、その全ての収差補正素子の光学作用面以外の部分が、それぞれ光軸に関して回転対称でない形状からなることを特徴とする請求項４に記載の光ピックアップ用光学素子。
【請求項７】
光束を集束する対物レンズと、収差を補正する収差補正手段と、上記対物レンズおよび上記収差補正手段の相対的位置を固定するホルダとを有する光ピックアップ用光学素子であって、
上記収差補正手段は、光学作用面以外の部分が光軸に垂直な面に関して面対称でなく、かつ、光軸に関して回転対称でない形状の収差補正素子を有し、
上記ホルダには、上記収差補正素子の取り付け部に、上記収差補正素子の面対称でなく、かつ、回転対称でない形状に応じて、上記収差補正素子に入り込む凸部または凹部を設けて、
上記収差補正素子が光軸に垂直な面に関して逆向き、かつ、光軸に関して回転して取り付けられないようにしたことを特徴とする光ピックアップ用光学素子。
【請求項８】
上記収差補正手段は、複数の収差補正素子を備え、その少なくとも１個の収差補正素子の光学作用面以外の部分が、光軸に垂直な面に関して面対称でなく、かつ、光軸に関して回転対称でない形状からなることを特徴とする請求項７に記載の光ピックアップ用光学素子。
【請求項９】
上記収差補正手段は、複数の収差補正素子を備え、その全ての収差補正素子の光学作用面以外の部分が、それぞれ光軸に垂直な面に関して面対称でなく、かつ、光軸に関して回転対称でない形状からなることを特徴とする請求項７に記載の光ピックアップ用光学素子。
【請求項１０】
光束を集束する対物レンズと、収差を補正する収差補正手段と、上記対物レンズおよび上記収差補正手段の相対的位置を固定するホルダとを有する光ピックアップ用光学素子であって、
上記収差補正手段は複数の収差補正素子を有し、これら複数の収差補正素子は、光軸と平行な方向から光軸に垂直な面に投影したときの形状がそれぞれ異なっていることを特徴とする光ピックアップ用光学素子。
【請求項１１】
上記複数の収差補正素子は、光軸と平行な方向から光軸に垂直な面に投影したときの形状が、上記対物レンズに近い収差補正素子の方が小さいことを特徴とする請求項１０に記載の光ピックアップ用光学素子。
【請求項１２】
光束を集束する対物レンズと、収差を補正する収差補正手段と、上記対物レンズおよび上記収差補正手段の相対的位置を固定するホルダとを有する光ピックアップ用光学素子であって、
上記収差補正手段は複数の収差補正素子を有し、これら複数の収差補正素子の光学作用面以外の外形形状がそれぞれ異なるように、全ての収差補正素子または１個を除いた残りの収差補正素子の光学作用面以外の部分に、光軸方向に凹部または凸部を設けたことを特徴とする光ピックアップ用光学素子。
【請求項１３】
上記ホルダの上記複数の収差補正素子の各取り付け部に、当該取り付け部に固定される収差補正素子の形状に対応して凹部または凸部を設けて、各収差補正素子が所定の取り付け部以外に取り付けられないようにしたことを特徴とする請求項１０〜１２のいずれか一項に記載の光ピックアップ用光学素子。
【請求項１４】
上記ホルダの少なくとも１つの収差補正素子の取り付け部に、当該取り付け部に固定される収差補正素子の形状に対応して凹部または凸部を設けて、少なくとも１つの収差補正素子が所定の取り付け部以外に取り付けられないようにしたことを特徴とする請求項１０〜１２のいずれか一項に記載の光ピックアップ用光学素子。
【請求項１５】
上記ホルダの上記収差補正素子の取り付け部に、当該取り付け部に固定される上記収差補正素子の位置調整が可能な空間があることを特徴とする請求項１〜１４のいずれか一項に記載の光ピックアップ用光学素子。
【請求項１６】
上記対物レンズの開口数が、０．７５以上であることを特徴とする請求項１〜１５のいずれか一項に記載の光ピックアップ用光学素子。
【請求項１７】
上記収差補正素子が、回折格子であることを特徴とする請求項１〜１６のいずれか一項に記載の光ピックアップ用光学素子。
【請求項１８】
上記回折格子が両面に形成されていることを特徴とする請求項１７に記載の光ピックアップ用光学素子。
【請求項１９】
上記収差補正素子が、上記光束の波長変動による色収差を補正する素子であることを特徴とする請求項１〜１８のいずれか一項に記載の光ピックアップ用光学素子。
【請求項２０】
上記収差補正素子が、上記対物レンズに異なる波長の光を入射したときに発生する収差を補正する素子であることを特徴とする請求項１〜１９のいずれか一項に記載の光ピックアップ用光学素子。
【請求項２１】
上記対物レンズと上記ホルダとが、合成樹脂により一体に形成されていることを特徴とする請求項１〜２０のいずれか一項に記載の光ピックアップ用光学素子。
【請求項２２】
請求項１〜２１のいずれか一項に記載の光ピックアップ用光学素子を搭載したことを特徴とする光ピックアップ。
【発明の詳細な説明】
【技術分野】
【０００１】
本発明は、光学的に情報の記録／再生を行う光ディスクドライブ装置に設けられる光ピックアップ用光学素子、およびそれを用いた光ピックアップに関するものである。
【背景技術】
【０００２】
近年、光ディスクドライブ装置では、その記録容量を増すために、波長７８０ｎｍのレーザ光を使用したＣＤから、波長６５０ｎｍのレーザ光を使用したＤＶＤ、さらに波長４０５ｎｍのレーザ光を使用したディスクの採用というように、波長を短くすることによる高密度化が進められている。
【０００３】
このような光ディスクドライブ装置では、過去の資産を生かすために、波長４０５ｎｍのレーザ光を使用したディスク用の装置でも、波長６５０ｎｍのレーザ光を使用したＤＶＤや、波長７８０ｎｍのレーザ光を使用したＣＤの記録再生ができることが望ましい。
【０００４】
ところで、光ディスクドライブ装置には、レーザ光を記録媒体に照射して記録再生を行う光ピックアップが搭載されており、さらに、光ピックアップには、レーザ光を記録媒体に集光する対物レンズが取り付けられている。
【０００５】
この光ピックアップや対物レンズは、設計上は、１つの波長専用として、複数個の光ピックアップや対物レンズを搭載することで、各種波長のディスクの記録再生に対応することが容易である。
【０００６】
しかし、このように各波長に対応して光ピックアップを搭載すると、装置の小型化や、低価格化に不利であることから、１つの光ピックアップで複数の波長に対応することが求められている。光ピックアップに搭載される対物レンズについても、各波長に対応する複数の対物レンズを搭載して、それらを波長に応じて切り換えて使用するのではなく、一つの対物レンズで複数の波長に対応させることが求められている。
【０００７】
ところが、波長が短くなると、各種収差に対する光学特性の許容量が減少して、一つの対物レンズのみで複数の波長に対応させることが困難になる。このため、光を集光する対物レンズ以外に、波長が異なることによって発生する収差を補正する収差補正素子が必要となる。しかも、この収差補正素子は、光ピックアップの光学性能を確保するために、その光軸を対物レンズの光軸と精度良く合わせる必要がある。
【０００８】
一方、従来の光ピックアップとして、例えば、光ビームを光ディスクの信号記録面上に集光させる集束手段と、光ビームの常光成分および異常光成分のうち一方の成分を透過し、他方の成分を回折して収束させる偏光性ホログラム素子と、それらの相対位置を固定する保持手段とを備えるものが知られている（例えば、特許文献１参照）。
【０００９】
かかる特許文献１に開示の技術を適用し、偏光性ホログラム素子を収差補正素子に置き換えれば、収差補正素子と集束手段である対物レンズとの相対位置を、保持手段により精度良く保つことができ、良好な光学特性を確保することが可能となるが、そのためには、収差補正素子の表裏を正確に取り付ける必要がある。
【００１０】
ところが、収差補正素子は、細かい回折格子が形成されているだけのことが多く、レンズのように明確な凹凸がないため、表裏がわかりにくくなっている。このため、表裏を誤って保持手段に取り付けられることが懸念される。
【００１１】
このような、表裏反転の誤取り付けを防止する機能を有する光学素子として、例えば、グレーティングの外形を、光軸を通り直交する２本の線に関して各々非対称な形状として、表裏で外形の見た目を変えて、表裏の判別を容易にしたものが知られている（例えば、特許文献２参照）。
【００１２】
したがって、上記特許文献２に開示の技術を上述した収差補正素子に適用すれば、表裏の判別を容易に行うことが可能となる。
【特許文献１】特開平１０−３６９０号公報
【特許文献２】実公平５−９６８２号公報
【発明の開示】
【発明が解決しようとする課題】
【００１３】
しかしながら、上記特許文献２には、光学素子が取り付けられる側の保持部材については開示されていない。このため、光学素子の表裏の判別はできても、表裏を間違えて固定される可能性があり、作業ミスを完全になくすことはできない。
【００１４】
また、短波長化や高開口数化により、光学特性への要求が高くなり、特性を補正するために、複数の収差補正素子を必要とする場合もある。このような場合には、各収差補正素子の表裏判別だけでなく、作業性改善のためには、複数の収差補正素子の判別も容易に行えるようにする必要もある。
【００１５】
したがって、かかる事情に鑑みてなされた本発明の目的は、取り付け作業ミスを確実に防止でき、また複数の収差補正素子を含む場合は、その判別作業を改善できる光ピックアップ用光学素子およびそれを用いた光ピックアップを提供することにある。
【課題を解決するための手段】
【００１６】
上記目的を達成する請求項１に係る発明は、光束を集束する対物レンズと、収差を補正する収差補正手段と、上記対物レンズおよび上記収差補正手段の相対的位置を固定するホルダとを有する光ピックアップ用光学素子であって、
上記収差補正手段は、光学作用面以外の部分が光軸に垂直な面に関して面対称でない形状の収差補正素子を有し、
上記ホルダには、上記収差補正素子の取り付け部に、上記収差補正素子の面対称でない形状に応じて、上記収差補正素子に入り込む凸部または凹部を設けて、
上記収差補正素子が光軸に垂直な面に関して逆向きに取り付けられないようにしたことを特徴とするものである。
【００１７】
請求項２に係る発明は、請求項１に記載の光ピックアップ用光学素子において、上記収差補正手段は、複数の収差補正素子を備え、その少なくとも１個の収差補正素子の光学作用面以外の部分が、光軸に垂直な面に関して面対称でない形状からなることを特徴とするものである。
【００１８】
請求項３に係る発明は、請求項１に記載の光ピックアップ用光学素子において、上記収差補正手段は、複数の収差補正素子を備え、その全ての収差補正素子の光学作用面以外の部分が、それぞれ光軸に垂直な面に関して面対称でない形状からなることを特徴とするものである。
【００１９】
請求項４に係る発明は、光束を集束する対物レンズと、収差を補正する収差補正手段と、上記対物レンズおよび上記収差補正手段の相対的位置を固定するホルダとを有する光ピックアップ用光学素子であって、
上記収差補正手段は、光学作用面以外の部分が光軸に関して回転対称でない形状の収差補正素子を有し、
上記ホルダには、上記収差補正素子の取り付け部に、上記収差補正素子の回転対称でない形状に応じて、上記収差補正素子に入り込む凸部または凹部を設けて、
上記収差補正素子が光軸に関して回転して取り付けられないようにしたことを特徴とするものである。
【００２０】
請求項５に係る発明は、請求項４に記載の光ピックアップ用光学素子において、上記収差補正手段は、複数の収差補正素子を備え、その少なくとも１個の収差補正素子の光学作用面以外の部分が、光軸に関して回転対称でない形状からなることを特徴とするものである。
【００２１】
請求項６に係る発明は、請求項４に記載の光ピックアップ用光学素子において、上記収差補正手段は、複数の収差補正素子を備え、その全ての収差補正素子の光学作用面以外の部分が、それぞれ光軸に関して回転対称でない形状からなることを特徴とするものである。
【００２２】
請求項７に係る発明は、光束を集束する対物レンズと、収差を補正する収差補正手段と、上記対物レンズおよび上記収差補正手段の相対的位置を固定するホルダとを有する光ピックアップ用光学素子であって、
上記収差補正手段は、光学作用面以外の部分が光軸に垂直な面に関して面対称でなく、かつ、光軸に関して回転対称でない形状の収差補正素子を有し、
上記ホルダには、上記収差補正素子の取り付け部に、上記収差補正素子の面対称でなく、かつ、回転対称でない形状に応じて、上記収差補正素子に入り込む凸部または凹部を設けて、
上記収差補正素子が光軸に垂直な面に関して逆向き、かつ、光軸に関して回転して取り付けられないようにしたことを特徴とするものである。
【００２３】
請求項８に係る発明は、請求項７に記載の光ピックアップ用光学素子において、上記収差補正手段は、複数の収差補正素子を備え、その少なくとも１個の収差補正素子の光学作用面以外の部分が、光軸に垂直な面に関して面対称でなく、かつ、光軸に関して回転対称でない形状からなることを特徴とするものである。
【００２４】
請求項９に係る発明は、請求項７に記載の光ピックアップ用光学素子において、上記収差補正手段は、複数の収差補正素子を備え、その全ての収差補正素子の光学作用面以外の部分が、それぞれ光軸に垂直な面に関して面対称でなく、かつ、光軸に関して回転対称でない形状からなることを特徴とするものである。
【００２５】
請求項１０に係る発明は、光束を集束する対物レンズと、収差を補正する収差補正手段と、上記対物レンズおよび上記収差補正手段の相対的位置を固定するホルダとを有する光ピックアップ用光学素子であって、
上記収差補正手段は複数の収差補正素子を有し、これら複数の収差補正素子は、光軸と平行な方向から光軸に垂直な面に投影したときの形状がそれぞれ異なっていることを特徴とするものである。
【００２６】
請求項１１に係る発明は、請求項１０に記載の光ピックアップ用光学素子において、上記複数の収差補正素子は、光軸と平行な方向から光軸に垂直な面に投影したときの形状が、上記対物レンズに近い収差補正素子の方が小さいことを特徴とするものである。
【００２７】
請求項１２に係る発明は、光束を集束する対物レンズと、収差を補正する収差補正手段と、上記対物レンズおよび上記収差補正手段の相対的位置を固定するホルダとを有する光ピックアップ用光学素子であって、
上記収差補正手段は複数の収差補正素子を有し、これら複数の収差補正素子の光学作用面以外の外形形状がそれぞれ異なるように、全ての収差補正素子または１個を除いた残りの収差補正素子の光学作用面以外の部分に、光軸方向に凹部または凸部を設けたことを特徴とするものである。
【００２８】
請求項１３に係る発明は、請求項１０〜１２のいずれか一項に記載の光ピックアップ用光学素子において、上記ホルダの上記複数の収差補正素子の各取り付け部に、当該取り付け部に固定される収差補正素子の形状に対応して凹部または凸部を設けて、各収差補正素子が所定の取り付け部以外に取り付けられないようにしたことを特徴とするものである。
【００２９】
請求項１４に係る発明は、請求項１０〜１２のいずれか一項に記載の光ピックアップ用光学素子において、上記ホルダの少なくとも１つの収差補正素子の取り付け部に、当該取り付け部に固定される収差補正素子の形状に対応して凹部または凸部を設けて、少なくとも１つの収差補正素子が所定の取り付け部以外に取り付けられないようにしたことを特徴とするものである。
【００３０】
請求項１５に係る発明は、請求項１〜１４のいずれか一項に記載の光ピックアップ用光学素子において、上記ホルダの上記収差補正素子の取り付け部に、当該取り付け部に固定される上記収差補正素子の位置調整が可能な空間があることを特徴とするものである。
【００３１】
請求項１６に係る発明は、請求項１〜１５のいずれか一項に記載の光ピックアップ用光学素子において、上記対物レンズの開口数が、０．７５以上であることを特徴とするものである。
【００３２】
請求項１７に係る発明は、請求項１〜１６のいずれか一項に記載の光ピックアップ用光学素子において、上記収差補正素子が、回折格子であることを特徴とするものである。
【００３３】
請求項１８に係る発明は、請求項１７に記載の光ピックアップ用光学素子において、上記回折格子が両面に形成されていることを特徴とするものである。
【００３４】
請求項１９に係る発明は、請求項１〜１８のいずれか一項に記載の光ピックアップ用光学素子において、上記収差補正素子が、上記光束の波長変動による色収差を補正する素子であることを特徴とするものである。
【００３５】
請求項２０に係る発明は、請求項１〜１９のいずれか一項に記載の光ピックアップ用光学素子において、上記収差補正素子が、上記対物レンズに異なる波長の光を入射したときに発生する収差を補正する素子であることを特徴とするものである。
【００３６】
請求項２１に係る発明は、請求項１〜２０のいずれか一項に記載の光ピックアップ用光学素子において、上記対物レンズと上記ホルダとが、合成樹脂により一体に形成されていることを特徴とするものである。
【００３７】
さらに、上記目的を達成する請求項２２に係る光ピックアップの発明は、請求項１〜２１のいずれか一項に記載の光ピックアップ用光学素子を搭載したことを特徴とするものである。
【発明の効果】
【００３８】
本発明によれば、光束を集束する対物レンズと、収差を補正する収差補正手段と、それらを固定するホルダとを有する光ピックアップ用光学素子において、取り付け作業ミスを確実に防止でき、また複数の収差補正素子を含む場合は、その判別作業を改善できるので、作業性を向上でき、光ピックアップ用光学素子を安価にできる。また、かかる光ピックアップ用光学素子を光ピックアップに搭載することで、光ピックアップの低価格化が図れる。
【発明を実施するための最良の形態】
【００３９】
以下、本発明の実施の形態について、図面を参照して説明する。
【００４０】
（第１実施の形態）
図１〜図７は本発明の第１実施の形態を示すもので、図１は光ピックアップ用光学素子である光学素子部組を示す斜視図、図２は図１のＡ−Ａ断面図、図３は同じく分解斜視図、図４は図１に示す収差補正素子５の斜視図、図５は図４の変形例を示す斜視図、図６は本実施の形態の光学素子部組を搭載した光ピックアップの一部上面図、図７は一部を図６のＢ−Ｂ断面で示す光ピックアップの概念図である。
【００４１】
図６および図７において、液晶ポリマーなどの合成樹脂からなるホルダ５１には、対物レンズ１、収差補正手段である収差補正素子２，５、ホルダである鏡筒８を有する光ピックアップ用光学素子である光学素子部組１３が接着固定されている。この光学素子部組１３に関しては、後で詳しく説明する。ホルダ５１には、フォーカスコイル５２ａ，５２ｂ、トラッキングコイル５３ａ〜５３ｄが接着されている。また、ホルダ５１には、ベリリウム銅製の４本のワイヤバネ５４ａ〜５４ｄ（５４ａは図示せず）の一端部も接着されている。さらに、ホルダ５１に固定された基板５５ａ，５５ｂには、ワイヤバネ５４ａ〜５４ｄの一端とフォーカスコイル５２ａ，５２ｂおよびトラッキングコイル５３ａ〜５３ｄの端末とが接続されている（端末は図示せず）。
【００４２】
ワイヤバネ５４ａ〜５４ｄの他端部はバネウケ５６に接着され、これによりホルダ５１はワイヤバネ５４ａ〜５４ｄを介して記録媒体５９の垂直方向（Ｚ方向）および半径方向（Ｘ方向）に移動可能に支持されていることになる。バネウケ５６には、基板５７が固定され、この基板５７にワイヤバネ５４ａ〜５４ｄの他端が半田付けされている。ワイヤバネ５４ａ〜５４ｄは図示しないフレキシブル基板を介して、さらに外部の電気回路に接続される。バネウケ５６は、鉄製のべース５８の曲げ立ち上げ部６１ａに固定されている。曲げ立ち上げ部６１ａ，６１ｂには、磁界を発生させる磁石６２ａ，６２ｂも固定されている。以上、ベース５８上に組み立てられた光学素子部組１３を動かすための機構をレンズアクチュエータ６０と呼ぶ。図７では、このレンズアクチュエータ６０のみを図６のＢ−Ｂ断面で示し、その他の光学部品などについては、概念図として示している。
【００４３】
次に、光学素子部組１３について、図１〜図５を参照して詳細に説明する。
【００４４】
カーボン繊維入りの液晶ポリマーなどの合成樹脂からなる鏡筒８には、対物レンズ１および収差補正素子２，５が接着固定されている。対物レンズ１はガラス製で、カバーガラス厚さ０．１ｍｍ、波長４０５ｎｍ、開口数０．８５の記録媒体に最適化されたレンズとなっている。収差補正素子２，５は合成樹脂製で、中央の領域３，６には輪帯形状の回折格子が形成されている。
【００４５】
収差補正素子２，５は、カバーガラス厚さ０．６ｍｍ、波長６５０ｎｍ、開口数０．６のＤＶＤや、カバーガラス厚さ１．２ｍｍ、波長７８０ｎｍ、開口数０．４５のＣＤに対しては対物レンズ１が最適化されておらず、収差が発生するため、その収差を波長の違いによる回折の違いなどを利用して回折格子で補正するようになっている。
【００４６】
収差補正素子２，５の形状および鏡筒８への固定について、収差補正素子５を参照して説明する。
【００４７】
図４に示すように、収差補正素子５には、凹部７が設けられている。凹部７は、全周に渡って設けられておらず、これにより収差補正素子５は、光学作用面である回折格子が形成された領域６以外の部分が、光軸１５に関して回転対称でない形となっている。また、凹部７は、光軸１５方向に貫通しておらず、これにより収差補正素子５は、図２に示すように、光学作用面である回折格子が形成された領域６以外の部分が、光軸１５に垂直な面１４に関して面対称でもない形状となっている。
【００４８】
図３に示すように、鏡筒８の収差補正素子５の取り付け面１１には、収差補正素子５の凹部７に対応して凸部１２が設けられている。この凸部１２は、図２に示すように、凹部７に入り込む形となっている。凸部１２と凹部７とが相対する面の間には隙間があるが、収差補正素子５のＺ方向の向きを誤って逆向きに取り付けようとしても、凸部１２が収差補正素子５と干渉して取り付けられない。これにより、作業ミスを防止することができる。
【００４９】
なお、円形の収差補正素子５が、鏡筒８に設けられた円形の穴部に納められる形となっているが、鏡筒８の穴部の直径は、収差補正素子５の外周の直径より５〜１０μｍ大きくなっており、収差補正素子５は取り付け面１１内でほぼがたがなく位置決めされるようになっている。
【００５０】
光軸１５周りの回転についても、収差補正素子５を誤って光軸１５周りに回転して取り付けようとしても、凸部１２が収差補正素子５と干渉して取り付けられない。なお、凸部１２と凹部７との相対する面の間には隙間があるが、この隙間は回転許容量としておけば良い。必要であれば、鏡筒８の穴と収差補正素子５の外周との関係のように、隙間を５〜１０μｍとして、ほぼがたがない状態となるようにしても良い。これにより、収差補正素子５の表裏と同様に、光軸１５周りの回転についても、作業ミスを防止することができる。
【００５１】
なお、場合によっては、凸部１２と凹部７との相対する面の間の隙間を大きくして、収差補正素子５を光軸１５周りに回転調整可能とし、調整後に、収差補正素子５を鏡筒８に接着するようにしても良い。この場合でも、初期の回転方向が隙間で動く範囲に制限され、初期位置が大きくずれることがないので、調整が容易になり、作業性が向上する。
【００５２】
以上、収差補正素子５について説明したが、収差補正素子２についても、図２および図３に示すように、同様に、凹部４が設けられ、鏡筒８には凹部４に対応した凸部１０が設けられている。
【００５３】
円形外周をもつ２個の収差補正素子２，５の直径は、対物レンズ１に近い収差補正素子２の方が小さくなっている。これにより、収差補正素子２，５の外形を光軸に垂直な面に、光軸に平行な方向から投影したときの形状も収差補正素子２の方が小さくなるので、図２に示すように、２個の収差補正素子２，５を、両者を接合したり、鏡筒８を複雑な構造にしたりすることなく、鏡筒８に固定することができる。すなわち、始めに小さい収差補正素子２を大きい収差補正素子５の固定部を通過させて奥に固定し、その後に手前に大きい収差補正素子５を固定する。
【００５４】
また、大きい収差補正素子５は、小さい収差補正素子２の取り付け面９には載らないので、収差補正素子の種類を間違えて付けるという作業ミスを防止できる。さらに、２個の収差補正素子２，５は、見た段階で大きさが異なるので、明瞭に区別することができ、作業性が向上する。
【００５５】
次に、図７を参照して、光学素子部組１３以外の光学系などについて、波長４０５ｎｍのレーザ光を発光するレーザダイオード６３から光学素子部組１３までの光路に沿って説明する。
【００５６】
レーザダイオード６３からのレーザ光は、コリメータレンズ６４に入射する。コリメータレンズ６４は、入射するレーザ光が平行光として出射されるように、その光軸方向の位置が調整されている。コリメータレンズ６４を通ったレーザ光は、そのレーザ光と波長６５０ｎｍのレーザ光とを合成するダイクロイックプリズム６５、さらにそれらのレーザ光と波長７８０ｎｍのレーザ光とを合成するダイクロイックプリズム６６を通って、１／４波長板６８が接合された偏光ビームスプリッタ６７に至る。レーザダイオード６３から出射したレーザ光は、上記の経路をたどった後、平行光を若干収束させたり、発散させたりする凹レンズ６９および凸レンズ７０よりなるリレーレンズ系を通って、光学素子部組１３に到達する。
【００５７】
レーザダイオード６３から出射したレーザ光の一部は、偏光ビームスプリッタ６７で反射する。その反射光の進む位置には、フォトディテクタ７１が配置されている。また、記録媒体からの戻り光は、偏光ビームスプリッタ６７で反射し、集光レンズ７２を介してフォトディテクタ７３に至る。
【００５８】
レーザダイオード６３の他に、波長６５０ｎｍのレーザ光を発光するレーザダイオード７４、波長７８０ｎｍのレーザ光を発光するレーザダイオード７６も配置されている。
【００５９】
レーザダイオード７４からの波長６５０ｎｍのレーザ光は、コリメータレンズ７５に入射する。コリメータレンズ７５は、入射するレーザ光が平行光として出射されるように、その光軸方向の位置が調整されている。コリメータレンズ７５を通ったレーザ光は、そのレーザ光と波長４０５ｎｍのレーザ光とを合成するダイクロイックプリズム６５に入射して反射する。それ以降は、波長４０５ｎｍのレーザ光を同じ光路をたどって光学素子部組１３に到達する。
【００６０】
レーザダイオード７６からの波長７８０ｎｍのレーザ光は、３ビーム法によりトラッキングエラーを検出するために、グレーティング７７を介してコリメータレンズ７８に入射する。コリメータレンズ７８は、入射するレーザ光が平行光として出射されるように、その光軸方向の位置が調整されている。コリメータレンズ７８を通ったレーザ光は、そのレーザ光と波長４０５ｎｍのレーザ光および波長６５０ｎｍのレーザ光とを合成するダイクロイックプリズム６６に入射して反射する。それ以降は、波長４０５ｎｍのレーザ光を同じ光路をたどって光学素子部組１３に到達する。
【００６１】
なお、フォトディテクタ７１およびフォトディテクタ７３は、全ての波長で共用される。また、上述した光学素子の各々は、適切なホルダや取り付け板などを介して、図示しないハウジングに固定されている。
【００６２】
次に、以上のように構成された本実施の形態について、その動作を説明する。
【００６３】
波長４０５ｎｍのレーザ光に対応する記録媒体５９を使用するときには、レーザダイオード６３を発光させる。レーザダイオード６３より発せられたレーザ光は、コリメータレンズ６４に入射して平行光にされ、ダイクロイックプリズム６５，６６、偏光ビームスプリッタ６７、１／４波長板６８、リレーレンズ６９，７０を経由して、光学素子部組１３の収差補正素子５，２を通り、対物レンズ１によって記録媒体５９上にスポットを形成する。
【００６４】
偏光ビームスプリッタ６７に入射したレーザ光は、その一部が反射されてフォトディテクタ７１で受光され、その出力に基づいてレーザダイオード６３の発光量の調整が行われる。
【００６５】
記録媒体５９からの反射光（戻り光）は、再び対物レンズ１を通り、往路とは逆の経路をたどって偏光ビームスプリッタ６７に到達する。ここで、戻り光は反射して、集光レンズ７２を経てフォトディテクタ７３で受光され、その出力に基づいてフォーカスエラー、トラッキングエラーおよび記録信号の検出が行われる。また、さらに球面収差の検出も行われる。
【００６６】
フォーカスエラーが検出された場合は、フォーカスコイル５２ａ，５２ｂに電流を流すことによって、ホルダ５１を記録媒体５９に垂直な方向に駆動する。トラッキングエラーが検出された場合は、トラッキングコイル５３ａ〜５３ｄに電流を流すことによって、ホルダ５１を記録媒体５９のトラックを横切る方向に駆動する。記録媒体５９がディスクの場合には、半径方向に駆動することになる。また、異なるトラックにアクセスする場合は、図示していない駆動手段によってハウジングごとホルダ５１を記録媒体５９のトラックを横切る方向に駆動する。以上のようにして、ホルダ５１およびそれに固定された光学素子部組１３はフォーカス制御、トラッキング制御、アクセス制御される。
【００６７】
記録媒体５９のカバーガラス厚のばらつきなどにより発生した球面収差が検出されたときには、リレーレンズ系を構成するレンズ６９および／または７０を駆動して球面収差を補正する。これは、レンズ６９および／または７０を動かすことで、光学素子部組１３に入射する本来平行光である光の収束・発散具合を変更し、これによって変化する球面収差を利用するものである。
【００６８】
本実施の形態では、収差補正素子２，５の光学作用面である領域３，６以外の部分の形状が、光軸に垂直な面に関して面対称となっておらず、仮に面対称であった場合に対して凹となっている部分に入り込む収差補正素子２，５を裏表逆に固定することができないような凸部を鏡筒８に設けたので、固定向きの誤りという取り付け作業ミスを防止することができる。
【００６９】
さらに、本実施の形態では、収差補正素子２，５の光学作用面である領域３，６以外の部分の形状が、光軸に関して回転対称となっておらず、仮に回転対称であった場合に対して凹となっている部分に入り込む収差補正素子２，５を裏表逆に固定することができないような凸部を鏡筒８に設けたので、固定向きの誤りという取り付け作業ミスを防止することができる。
【００７０】
なお、収差補正素子２，５に設けた凹部は、仮に面対称や回転対称形状であった場合に対して、凹でなく凸でも良い。この場合には、対応する凹部を鏡筒８に設ければ良い。また、この凹部または凸部が樹脂成形のゲートやゲートカット部を兼ねていても良い。
【００７１】
また、本実施の形態では、収差補正素子２，５を、光軸方向に垂直な面に関して面対称でなく、かつ、光軸に関して回転対称でない形状としたが、前者または後者のいずれか一方の特徴のみを持つ形状であっても良い。
【００７２】
例えば、収差補正素子５の回折格子形状が輪帯形状で、光軸に関して回転対称である場合には、光軸に関する回転向きを考える必要がないので、図５に示すように、凹部１６を光軸１５に関して回転対称に設けても良い。
【００７３】
また、収差補正素子の片面だけに比較的深さや領域が大きめな回折格子が設けられて、光軸方向の表裏が明確にわかり、作業ミスの可能性が低い場合には、光軸に関する回転のみを配慮しても良い。この場合には、図４の２点鎖線１７で囲まれた部分１８を除去して、凹部７をＺ方向に貫通させた形としても良い。先に述べた凹部を射出成形のゲートを兼ねて設ける場合には、この方が作りやすい場合もある。
【００７４】
なお、本実施の形態では、２個の収差補正素子２，５を備えているが、２個に限定されることなく、１個であっても、３個以上であっても効果を発することは言うまでもない。また、複数個の収差補正素子を備える場合には、そのすべてに上記の構成を適用しても良いし、間違いやすい収差補正素子のみに適用しても良いが、すべてに適用した場合には、より作業性が向上し、作業ミスの防止もできる。また、複数個の収差補正素子に適用すると、構成によっては、鏡筒などの凹凸形状が複雑になる場合には、間違いやすい収差補正素子のみに適用することにより、鏡筒などの形状を簡単にでき、小型化が容易となる。
【００７５】
さらに、本実施の形態では、収差補正素子２，５の外形を、光軸に垂直な面に光軸に平行な方向から投影したとき直径が異なる円となるようにしたので、収差補正素子２，５を明瞭に区別することができ、作業性を向上できる。また、鏡筒８の収差補正素子２の固定部には、その外形に対応した凹部が設けられており、この凹部には収差補正素子５を取り付けることはできないため、収差補正素子５を収差補正素子２の場所に取り付けるという作業ミスを防止することができる。なお、外形に対応した凹部でなく、例えば、複数の凸部を設け、凸部の間に収差補正素子が保持されるような形状であっても良い。
【００７６】
しかも、光軸に平行な方向から投影したときの形状は、対物レンズ１に近い側に固定される収差補正素子２の方が収差補正素子５より小さくなっているので、収差補正素子５の取り付け部を通して、収差補正素子２を固定することができ、作業性を良好にできる。また、鏡筒８などを複雑な形状にすることなく、２個の収差補正素子２，５を固定できる。
【００７７】
なお、対物レンズ１と収差補正素子との役割分担はいろいろ考えられる。本実施の形態では、３波長対応の光学素子について述べたが、２波長対応であっても良いし、１波長対応でも良い。複数の波長に対応する場合の方が、収差補正素子の回折格子の間隔が狭くなって見にくくなったり、収差補正素子が複数必要になって間違いが起こり易くなったりするので、本発明の必要性が高くなる。
【００７８】
また、１波長対応でも、例えば、対物レンズ１をカバーガラス厚さ０．１ｍｍ、波長４０５ｎｍ、開口数０．８５の記録媒体に対応させる場合には、波長が短く、開口数が大きくなったことでレーザダイオードの波長変動による色収差に対する許容量が減少し、それを改善するには収差補正素子が必要となるので、本発明が有効に適用でき、その効果が大きい。
【００７９】
さらに、カバーガラス、波長、開口数の組合せについてもいろいろ考えられる。例えば、カバーガラス厚さ０．６ｍｍ、波長４０５ｎｍ、開口数０．６５の記録媒体に対応するものでも良い。ただし、カバーガラス厚さが薄くなるほど、波長が短くなるほど、開口数が大きくなるほど、光学的な許容量が少なくなり、収差補正素子の必要性が増大する。特に、本実施の形態のように開口数０．８５など、開口数０．７５以上の場合には、必要精度が極めて高くなるので、本発明の必要性も高くなる。
【００８０】
本実施の形態の光学素子部組１３によると、光学素子の取り付け作業ミスを少なくできることで低価格化が図れ、したがってこれを搭載する光ピックアップにおいても、低価格化が図れることになる。
【００８１】
（第２実施の形態）
図８〜図１０は本発明の第２実施の形態を示すもので、図８は光ピックアップ用光学素子である光学素子部組の斜視図、図９は分解斜視図、図１０はその上面図である。第１実施の形態と同じ部分には、同一の番号を付してある。
【００８２】
本実施の形態は、第１実施の形態と収差補正素子２，５の形状が異なる。第１実施の形態で、収差補正素子２，５の光軸に平行な方向から投影したときの形状は円形形状であったが、本実施の形態では、図８に示すように長方形形状となっている。
【００８３】
収差補正素子２，５は、光軸と平行な方向（Ｚ方向）に、図９に示した取り付け面９，１１に当てつけられている。取り付け面９，１１は鏡筒８で凹形状に設けられており、取り付け面９，１１よりＺ−方向に垂直に面２６ａ，２６ｂ、２７ａ〜２７ｄ、２８ａ〜２８ｄ、２９ａ，２９ｂが延びている。Ｘ方向に相対する面２６ａと面２６ｂとの距離２０は、その内側に配される収差補正素子２のＸ方向寸法１８より１〜２ｍｍ程度大きくなっている。Ｙ方向に相対する面２７ａ，２７ｂと面２７ｃ，２７ｄとの距離２１は、同じくその内側に配される収差補正素子２のＹ方向寸法１９より１〜２ｍｍ程度大きくなっている。
【００８４】
収差補正素子５についても同様に、Ｘ方向に相対する面２８ａ，２８ｂと面２８ｃ，２８ｄとの距離２４は、その内側に配される収差補正素子５のＸ方向寸法２２より１〜２ｍｍ程度大きくなっている。Ｙ方向に相対する面２９ａと面２９ｂとの距離２５は、同じくその内側に配される収差補正素子５のＹ方向寸法２３より１〜２ｍｍ程度大きくなっている。
【００８５】
以上により、収差補正素子２，５と、面２６ａ，２６ｂ、２７ａ〜２７ｄ、２８ａ〜２８ｄ、２９ａ，２９ｂとの間には、それぞれ隙間が存在する。この隙間を用いて、収差補正素子２，５は、それぞれの取り付け面９，１１に当てつけられた状態で、取り付け面９，１１に沿って位置調整され、調整後に鏡筒８に接着される。
【００８６】
収差補正素子２，５は、光軸に平行な方向から投影したときの外形形状が長方形形状であるが、収差補正素子２，５では異なる寸法となっている。すなわち、長辺の長さを比較すると、（収差補正素子２の長辺の長さ１８）＜（収差補正素子５の長辺の長さ２３）となっている。また、短辺の長さを比較すると、（収差補正素子２の短辺の長さ１９）＞（収差補正素子５の短辺の長さ２２）と、長辺とは逆に収差補正素子２の方が長くなっている。
【００８７】
収差補正素子２の長辺が入る部分である面２６ａと面２６ｂとの間の距離２０は、（収差補正素子２の長辺の長さ１８）＜（距離２０）＜（収差補正素子５の長辺の長さ２３）となっている。これにより、収差補正素子５を誤って収差補正素子２の場所に取り付けようとしても入らず、作業ミスを防止することができる。
【００８８】
収差補正素子５の短辺が入る部分である面２８ａ，２８ｂと面２８ｃ，２８ｄとの距離２４は、（収差補正素子５の短辺の長さ２２）＜（距離２４）＜（収差補正素子２の短辺の長さ１９）となっている。これにより、上記とは逆に、収差補正素子２を誤って収差補正素子５の場所に取り付けようとしても入らず、作業ミスを防止することができる。
【００８９】
なお、本実施の形態では、領域３，６に形成されている回折格子は見た目に存在がわかりやすいものとなっている。そのため、光軸方向の裏表が明確にわかるので、収差補正素子２，５の光学作用面である領域３，６以外の部分の形状は、光軸に垂直な面に面対称な形状となっている。
【００９０】
また、領域３，６に形成されている回折格子は輪帯形状で、光軸に関して回転対称なものとなっている。そのため、回転方向の位置決めが不要なので、収差補正素子２，５の光学作用面である領域３，６以外の部分の形状は、光軸に回転対称な形状となっている。
【００９１】
その他の構成および動作については、第１実施の形態とほぼ同じである。
【００９２】
本実施の形態においても、収差補正素子２，５を、光軸に垂直な面に、光軸に平行な方向から投影したときの形状が異なるものとなっているので、収差補正素子２，５を明瞭に区別でき、作業性を向上させることができる。また、鏡筒８の収差補正素子２，５の固定部には、それぞれ外形に対応した凹部が設けられており、収差補正素子２，５を入れ違えて取り付けることはできないため、作業ミスを防止することができる。特に、本実施の形態では、すべての収差補正素子２，５の固定部で、誤った収差補正素子が取り付けられないようになっているので、作業ミスの防止効果が高い。
【００９３】
なお、本実施の形態では、収差補正素子２，５の外形を、光軸に垂直な面に、光軸に平行な方向から投影したとき、長方形形状としたが、この形状は長方形以外にもいろいろ変形することができ、例えば、任意の相似の多角形としたり、複数の収差補正素子で多角形の種類を変えて区別したり、円や長方形に凸部や凹部を形成したような形状としたりすることもできる。
【００９４】
本実施の形態によれば、収差補正素子２，５が取り付け面９，１１に沿って位置調整可能となっているので、収差補正素子２，５の外形と光軸のずれなどを調整でき、光学特性を良好にできる。また、調整を前提として収差補正素子２，５を製作することで、収差補正素子製作時の公差が緩和され、歩留まり改善などによって低価格化も図れる。
【００９５】
図１１〜図１６は本発明の第３実施の形態を示すもので、図１１は光ピックアップ用光学素子である光学素子部組の斜視図、図１２は分解斜視図、図１３は上面図、図１４は鏡筒の上面図、図１５は一方の収差補正素子２の斜視図、図１６は他方の収差補正素子５の斜視図である。第１実施の形態と同じ部分には、同一の番号を付してある。
【００９６】
本実施の形態も、第１実施の形態と収差補正素子２，５の形状が異なる。すなわち、第１実施の形態では、収差補正素子２，５の光軸に平行な方向から投影したときの形状が円形形状であったが、本実施の形態では、図１３に明瞭に示されているように、正方形形状となっている。
【００９７】
収差補正素子２のＺ−側面の領域３には、図１２に示されているように、収差補正のための回折格子が形成されているが、本実施の形態では、さらに、図１５に示されているように、Ｚ＋側面の領域３３にも回折格子が形成されている。また、図１５に明瞭に示されているように、収差補正素子２のＺ＋側面には、光軸に平行な方向（Ｚ方向）に円形の凹部３４ａ，３４ｂも設けられている。これら凹部３４ａ，３４ｂは、Ｚ−側面に貫通しておらず、収差補正素子２の光学作用面以外の形状は、光軸に垂直な面（ＸＹ平面）に関して、非対称な形状となっている。
【００９８】
収差補正素子２は、図１２および図１４に示す取り付け面９に、Ｚ＋方向に当てつけられて接着固定される。取り付け面９には、収差補正素子２の凹部３４ａ，３４ｂに入り込む凸部３１ａ，３１ｂが設けられており、収差補正素子２が取り付け面９に当て付かないという不都合は生じないようになっている。
【００９９】
ここで、収差補正素子２のＺ方向の裏表を間違えて取り付けようとすると、収差補正素子２のＺ−側面には凹部がないため、凸部３１ａ，３１ｂが干渉し、収差補正素子２は取り付け面９に当て付かず浮くことになる。これにより、作業者は、誤って組み付けたことを認識することができ、作業ミスを防止することができる。特に、本実施の形態のように、両面の領域３，３３に回折格子が形成されている場合には、表裏の判別が難しいので、効果的である。
【０１００】
また、収差補正素子２の凹部３４ａ，３４ｂは、光軸１５に関して回転対称な形に設けられていないので、光軸周りに回転して取り付けられることも防止できる。
【０１０１】
収差補正素子５についても、そのＺ−側面の額域６には、図１２に示されているように、収差補正のための回折格子が形成されているが、本実施の形態では、さらに、図１６に示されているように、Ｚ＋側面の領域３４にも回折格子が形成されている。また、図１６に明瞭に示されているように、Ｚ＋側面には、光軸に平行な方向（Ｚ方向）に円形の凹部３５ａ，３５ｂも設けられている。これら凹部３５ａ，３５ｂは、Ｚ−側面に貫通しておらず、収差補正素子５の光学作用面以外の形状は、光軸に垂直な面（ＸＹ平面）に関して、非対称な形状となっている。
【０１０２】
収差補正素子５は、図１２および図１４に示す取り付け面１１に、Ｚ＋方向に当てつけられて接着固定される。取り付け面１１には、収差補正素子５の凹部３５ａ，３５ｂが入り込む凸部３２ａ，３２ｂが設けられており、収差補正素子５が取り付け面１１に当て付かないという不都合は生じないようになっている。これら凸部３２ａ，３２ｂと、凹部３５ａ，３５ｂとによって、Ｚ方向の裏表を間違う作業ミスを防止できるのは、収差補正素子２と同様である。
【０１０３】
なお、収差補正素子５の凹部３５ａ，３５ｂは、光軸１５に関して回転対称な形になっているので、光軸周りに回転して取り付けられることについては、防止できない。しかし、第２実施の形態で述べたように、回折格子が輪帯形状からなり、光軸周りの回転について配慮する必要がない場合は、これで問題ない。なお、回転について配慮する必要がある場合には、凹部３５ａ，３５ｂの一方の光軸からの距離を変えたり、一方を円形でなく四角形の凹部にしたりするなどして、回転対称形状でなくせばよい。また、見た目ではわかりにくいが、２個の凹部の深さを変え、凸部の長さも変えて、違う向きでは固定できないようにしても良い。
【０１０４】
図１３に示されているように、本実施の形態では、収差補正素子２，５の光軸に平行な方向から見たときの外形が同一となっている。しかし、図１５および図１６に示されているように、収差補正素子２の凹部３４ａ，３４ｂは、１辺に沿って２個配置されているのに対して、収差補正素子５の凹部３５ａ，３５ｂは、対角線上に２個配置されているので、収差補正素子５を誤って取り付け面９に固定しようとしても、凹部３５ａ，３５ｂには取り付け面９の凸部３１ａ，３１ｂが入り込まず、取り付けることができない。逆に、収差補正素子２を取り付け面１１に取り付けようとしても、同様に、凹部３４ａ，３４ｂに取り付け面１１の凸部３２ａ，３２ｂが入り込まず、取り付けられない。収差補正素子２，５の種類だけでなく、Ｚ方向の表裏を間違えた場合でも、Ｚ方向反対側には、もともと凹部がないため、取り付けることができない。これにより、収差補正素子の種類を間違えるという作業ミスも防止できる。
【０１０５】
なお、本実施の形態においても、第１実施の形態のように、取り付け面９，１１よりＺ−方向に垂直に延びている面２６ａ〜２６ｄ、２７ａ〜２７ｄ、２８ａ〜２８ｄ、２９ａ〜２９ｄは、収差補正素子２，５より５〜１０μｍ大きくなっており、収差補正素子２，５は取り付け面９，１１内でほぼがたがなく位置決めされるようになっている。
【０１０６】
さらに、本実施の形態では、鏡筒８に凸部３０が設けられている。この凸部３０を用いて、光学素子部組１３を第１実施の形態で述べたホルダ５１に固定する。凸部３０を設けたことにより、より強固にホルダ５１に固定することができる。また、この部分でＺ方向の位置決めを行うことで、ホルダ５１の形状によっては精度をより高めることができる。
【０１０７】
その他の構成および動作については、第１実施の形態とほぼ同じである。
【０１０８】
本実施の形態では、収差補正素子２，５の外形形状が、光軸に垂直な面に、光軸に平行な方向から投影したとき同じとなっているが、収差補正素子２，５の光学作用面である領域３，６以外の部分に、光軸方向に凹部３４ａ，３４ｂ、３５ａ，３５ｂを設け、それに対応する凸部３１ａ，３１ｂ、３２ａ，３２ｂを鏡筒８に設けることで、収差補正素子を入れ違えて取り付けできないようにしたので、作業ミスを防止することができる。特に、本実施の形態では、すべての収差補正素子の固定部で、種類の誤った収差補正素子が取り付けられないようになっているので、作業ミスの防止効果が高い。
【０１０９】
なお、本実施の形態では、収差補正素子に凹部を設けたが、光軸方向に延びる凸部であっても良い。その際は、鏡筒側を凹部とすれば良い。また、全ての収差補正素子に凹部を設けたが、１個だけは凹部なしであっても、収差補正素子の区別はつき、作業性を向上できる。
【０１１０】
本発明は、上記実施の形態に制限されることなく、種々の変形または変更が可能である。例えば、収差補正素子は、回折格子でなく、球面や、非球面によるレンズ作用が加わったものであっても良く、片面回折格子、片面非球面であっても良い。また、収差補正素子の形状も、光軸に平行な方向から見て長方形、正方形、円形でなくても良く、例えば、円形に凸部を持つような形状であっても良い。さらに、対物レンズ、収差補正素子、およびそれらの相対的位置を固定する鏡筒を別々の部品とせず、対物レンズと鏡筒とを合成樹脂により一体に形成しても良い。
【図面の簡単な説明】
【０１１１】
【図１】本発明の第１実施の形態に係る光ピックアップ用光学素子である光学素子部組を示す斜視図である。
【図２】図１のＡ−Ａ断面図である。
【図３】図１の分解斜視図である。
【図４】図１に示す収差補正素子５の斜視図である。
【図５】図４の変形例を示す斜視図である。
【図６】第１実施の形態の光学素子部組を搭載した光ピックアップの一部上面図である。
【図７】一部を図６のＢ−Ｂ断面で示す光ピックアップの概念図である。
【図８】本発明の第２実施の形態に係る光ピックアップ用光学素子である光学素子部組の斜視図である。
【図９】同じく、分解斜視図である。
【図１０】同じく、上面図である。
【図１１】本発明の第３実施の形態に係る光ピックアップ用光学素子である光学素子部組の斜視図である。
【図１２】同じく、分解斜視図である。
【図１３】同じく、上面図である。
【図１４】第３実施の形態における鏡筒の上面図である。
【図１５】同じく、収差補正素子２の斜視図である。
【図１６】同じく、収差補正素子５の斜視図である。
【符号の説明】
【０１１２】
１  対物レンズ
２，５  収差補正素子
４，７  凹部
８  鏡筒
９，１１  取り付け面
１０，１２  凸部
１３  光学素子部組
１４  面
１５  光軸
２６ａ，２６ｂ，２７ａ〜２７ｄ，２８ａ〜２８ｄ，２９ａ〜２９ｂ  面
３４ａ，３４ｂ，３５ａ，３５ｂ  凹部
３１ａ，３１ｂ，３２ａ，３２ｂ  凸部
６０  レンズアクチュエータ
【図１】
2006059421.tif 000003
【図２】
2006059421.tif 000004
【図３】
2006059421.tif 000005
【図４】
2006059421.tif 000006
【図５】
2006059421.tif 000007
【図６】
2006059421.tif 000008
【図７】
2006059421.tif 000009
【図８】
2006059421.tif 000010
【図９】
2006059421.tif 000011
【図１０】
2006059421.tif 000012
【図１１】
2006059421.tif 000013
【図１２】
2006059421.tif 000014
【図１３】
2006059421.tif 000015
【図１４】
2006059421.tif 000016
【図１５】
2006059421.tif 000017
【図１６】
2006059421.tif 000018